(57)【特許請求の範囲】
【請求項１】
２×２の４画素配列を単位配列とする２次元の周期配列として構成された撮像画素色配列を有し、前記単位配列を構成する第１乃至第４の４画素のうち互いに対角に位置する第１と第３の画素は加色混合の３原色ＲＧＢのうちのＧの相対分光感度特性を有し、他の２画素はそれぞれ第２の画素がＲ＋ｋ１×Ｇ＋ｋ２×Ｂ、第４の画素がｋ３×Ｒ＋ｋ４×Ｇ＋Ｂ（ただしｋ１〜ｋ４は略１／４以上３／４以下の係数）に相当する相対分光感度特性を有したものであることを特徴とする撮像素子。
【請求項２】
前記係数ｋ１とｋ４の値が等しいことを特徴とする請求項１記載の撮像素子。
【請求項３】
前記請求項１または２記載の撮像素子と、前記撮像素子の前記第１乃至第４の各画素に対応して得られる各画素情報信号に基づいてカラー映像信号を生成する映像信号生成手段とを具備したことを特徴とする撮像装置。
【請求項４】
前記映像信号生成手段は、ＲＧＢベイヤ配列の撮像素子出力に対応した色マトリクス演算処理を行う色マトリクス手段と、該色マトリクス手段以前に設けられ、前記請求項１または２記載の撮像素子からの画素情報信号に基づいてＲおよびＢの各色信号を算出する演算手段とを有したことを特徴とする請求項３記載の撮像装置。
【請求項５】
前記映像信号生成手段は、１つの単位配列の４画素平均値に基づいて輝度エッジ信号を算出するエッジ信号生成手段を含むものであることを特徴とする請求項３または４記載の撮像装置。
【発明の詳細な説明】
【０００１】
【発明の属する技術分野】
本発明は撮像素子およびそれを用いた撮像装置に関し、特にベイヤ配列の色フィルタを備えた撮像素子およびそれを用いた撮像装置に関する。
【０００２】
【従来の技術】
従来、単板カラー撮像素子においては、ベイヤ配列のＲＧＢ原色フィルタや各種の補色フィルタが広く用いられている。ベイヤ配列のＲＧＢフィルタは補色フィルタよりも色再現性が優れているため、高画質用途に適しており多用されている。
【０００３】
ベイヤ配列のＲＧＢフィルタを用いた単板カラー撮像素子を用いてカラー撮像信号を生成する場合は、Ｒ，Ｇ，Ｂ３原色信号を２次元ＬＰＦ処理（近傍４画素信号の平均処理）を行った後に、色マトリクス回路で演算処理を行い、輝度信号Ｙと２つの色差信号（Ｒ−Ｙ），（Ｂ−Ｙ）を得るようにしている。この輝度信号Ｙは、人間の眼の分光感度（視感度）に合うように、次式（１）で表される。
Y=0.3R+0.59G+0.11B                  …（１）
しかしながら、（１）式で求められる輝度信号は広帯域の信号であり、Ｇ信号は視感度に近いが、Ｒ，Ｂ信号は視感度から大きく離れていると共に、Ｒ，Ｂ信号両者の分光特性も極端に違うため、単純にマトリスク演算処理を行うと、輝度信号にギザギザの段部が生じる輝度偽エッジが発生する。
【０００４】
すなわち、図４（Ａ）に示すようなベイヤ配列ＲＧＢフィルタを用いた単板カラー撮像素子において、１画素ずつずらして組み合わせを変えた４画素単位１０１，１０２，…の画素信号の平均値を、画素位置２０１，２０２，…の値として求め、これらの画素位置２０１，２０２，…の値を用いて、上記（１）式により輝度信号Ｙを生成した場合、被写体の輝度や色の境目が撮像素子の画素配列に平行になっている場合は問題ないが、図４（Ａ）においてライン３０１で示すように斜めに色の境界が存在している場合には、図４（Ｂ）に示すように、境目にギザギザの段部状の偽エッジのある輝度信号が生成されてしまう。この現象は、ベイヤ配列などのＲＧＢ原色フィルタを用いて単純に平均化を行ってマトリクス演算により輝度信号を求めた場合に、色の境界部で極めて強く現れる。
【０００５】
このような４画素単位の画素信号の平均値から輝度信号を生成する場合に輝度偽エッジが発生するのを、最も効果的に且つ単純に回避するため、輝度信号を低域成分の輝度信号ＹＬと高域成分の輝度信号ＹＨに分けて生成し、これらを加算処理する方式において特にＹＨをＧのみから生成する方法もあり、以下これについて詳述する。
【０００６】
低域成分の輝度信号ＹＬは、通常４×４＝１６画素の平均値、すなわちＧについては１６画素中に含まれる８画素の画素信号の平均値、Ｒ，Ｂについては１６画素中に含まれる４画素の画素信号の平均値を用い、ＹＬ＝0.3Ｒ＋0.59Ｇ＋0.11Ｂのマトリクス演算により求める。
【０００７】
一方、高域成分の輝度信号（輝度エッジ信号）ＹＨは、Ｇ信号のみを用いて生成する。すなわち、図５（Ａ）に示すように、単板カラー撮像素子の画素Ｇ１１，Ｇ２１の画素信号の平均値、画素Ｇ２１，Ｇ１２の画素信号の平均値、画素Ｇ１２，Ｇ２２の画素信号の平均値というように、隣接したＧ画素の画素信号の平均値を求めて、これらを高域信号ＧＨとし、このようにして求めた各高域信号ＧＨに関して、それぞれ隣接する信号との差分信号を求め、これを高域成分の輝度信号ＹＨとする。
【０００８】
例えば、図５（Ｂ）に示すように、高域信号がＧＨ３である注目点において、差分信号により高域成分の輝度信号ＹＨを求めると、次式（２）のように表される。
YH=(GH3-GH1)+(GH3-GH2)+(GH3-GH4)+(GH3-GH5)
=4×GH3-(GH1+GH2+GH4+GH5)            …（２）
このように、輝度信号Ｙを、低域成分の輝度信号ＹＬとＧ信号のみから生成した高域成分の輝度信号（輝度エッジ信号）ＹＨとを加算して形成することにより、ぼけた低域成分の輝度信号ＹＬに変化分として加算する高域成分の輝度信号ＹＨが、Ｒ，Ｂ信号という極端に色特性の異なる成分を用いておらず、Ｇ信号のみを用いて生成されているので、輝度信号として用いる画素信号の画素位置には隙間があるけれども、個々の画素による分光特性の違いが無いので、あまりギザ部分の目立たない特性のよい輝度信号が得られる。なお、この場合、色信号生成については必要帯域が狭いため、低域輝度信号を用いた従来の処理を用いれば特に問題は生じない。
【０００９】
【発明が解決しようとする課題】
しかしながら、上記のように低域成分の輝度信号ＹＬとＧ信号のみから生成した高域成分の輝度信号ＹＨとを加算して輝度信号Ｙを形成した場合、高域成分の輝度信号ＹＨはＧ信号のみを用い、本来利用可能なＲ，Ｂ信号は用いられていない。このように、本来使用可能なＲ，Ｂ信号を用いていないので、輝度偽エッジの発生は抑制できるものの、輝度感度の低下は避けられない。よって、この輝度感度の低下により、高域成分の輝度信号（輝度エッジ信号）ＹＨの信号出力レベルが相対的に低くなり、ノイズが増えてＳ／Ｎを低下させるという問題が生じる。
【００１０】
本発明は上述の事情に鑑みてなされたものであり、輝度感度の低下を招くこと無しに輝度偽エッジの低減を図ることが可能な撮像素子および撮像装置を提供することを目的とする。
【００１１】
【課題を解決するための手段】
上述の課題を解決するため、本発明の撮像素子は、２×２の４画素配列を単位配列とする２次元の周期配列として構成された撮像画素色配列を有し、前記単位配列を構成する第１乃至第４の４画素のうち互いに対角に位置する第１と第３の画素は加色混合の３原色ＲＧＢのうちのＧの相対分光感度特性を有し、他の２画素はそれぞれ第２の画素がＲ＋ｋ１×Ｇ＋ｋ２×Ｂ、第４の画素がｋ３×Ｒ＋ｋ４×Ｇ＋Ｂ（ただしｋ１〜ｋ４は略１／４以上３／４以下の係数）に相当する相対分光感度特性を有したものであることを特徴とする。
【００１２】
このように、従来のＲ画素に相当する第２の画素（以下Ｒ′）はＲに対してＧとＢ、従来のＢ画素に相当する第４の画素画素（以下Ｂ′）はＢに対してＲとＧのそれぞれ他の２色の相対分光感度特性を少し加えたような（特性がオーバーラップした）相対分光感度特性をもたせるように構成することにより、Ｒ相当のＲ′画素とＢ相当のＢ′画素およびＧ画素の信号出力の分光感度差が小さくなって、その結果被写体の色境界における輝度偽エッジの発生が従来に比して小さくなるから、Ｇ画素信号にＲ’及びＢ’画素信号を加えて高域輝度信号たる輝度エッジ信号を生成することが可能となる。これにより輝度感度を向上させることができ、輝度偽エッジの発生の低減と共に、Ｓ／Ｎやダイナミックレンジ（Ｄレンジ）の向上を図ることが可能な撮像素子を実現できる。
【００１３】
なお、上記係数ｋ１〜ｋ４の各値を略１／４〜３／４としているのは、係数を零とした場合は従来のＲＧＢ原色フィルタを用いたものと同じになり効果が得られず、また係数を１とした場合にはＧとＷ（ホワイト）だけのフィルタとなって色信号が得られなくなり実用不可能となるので、その中間の１／４〜３／４程度が極めて効果的な領域であるという事実を根拠としているもので、そのさらに具体的な数値は、どの程度の偽エッジの発生を許容するか、あるいは感度をどの程度にするかに応じて、設計的に適宜設定される。
【００１４】
また、前記係数ｋ１とｋ４の値は等しく設定することが好ましい。これにより、Ｒ′，Ｂ′の各画素に含まれるＧの割合が等しくなるため、画素間の感度差をより小さくでき、輝度偽エッジ防止に関する改善効果を高めることができる。
【００１５】
また、本発明の撮像装置は、請求項１または２記載の撮像素子と、前記撮像素子の前記第１乃至第４の各画素に対応して得られる各画素情報信号に基づいてカラー映像信号を生成する映像信号生成手段とを具備することを特徴とする。
【００１６】
このように、請求項１または２に係る撮像素子を用いて撮像装置を構成する事により、輝度偽エッジの発生を低減できると共に、輝度感度を高めＳ／Ｎ及びダイナミックレンジを向上させた輝度信号を得ることが可能となる。
【００１７】
また、前記映像信号生成手段は、ＲＧＢベイヤ配列の撮像素子出力に対応した色マトリクス演算処理を行う色マトリクス手段と、該色マトリクス手段以前に設けられ、前記請求項１または２記載の撮像素子からの画素情報信号に基づいてＲおよびＢの各色信号を算出する演算手段とから構成することが好ましい。このように、請求項１または２記載の撮像素子からの画素情報信号に基づいて本来のＲ及びＢの各色信号を算出する演算手段を色マトリクス手段の前段に設けることにより、色マトリクス手段としては従来のベイヤ配列ＲＧＢ原色フィルタを用いた撮像素子に対応する構成のものをそのまま用いることが可能となる。
【００１８】
また、前記映像信号生成手段は、１つの単位配列の４画素平均値に基づいて輝度エッジ信号を算出するエッジ信号生成手段を含むことを特徴とする。これにより、比較的簡単な信号処理で輝度エッジ信号を生成することが可能となる。
【００１９】
【発明の実施の形態】
以下、図面を参照して本発明の実施形態を説明する。
【００２０】
図１（Ａ）は、本発明の一実施形態に係るカラー撮像素子のフィルタ配列図である。このカラー撮像素子におけるフィルタは、２×２の４画素配列を単位配列とする２次元の周期配列として構成されたベイヤ配列のＲＧＢ原色フィルタにおいて、Ｒ画素又はＢ画素に対応するフィルタ素子Ｒ′，Ｂ′として、ＲＧＢ３色の特性がオーバーラップしたような相対分光感度特性をもつものを利用している。すなわち、Ｒ画素に対応するフィルタ素子Ｒ′については、Ｒ′（λ）＝Ｒ（λ）＋ｋ１×Ｇ(λ)＋ｋ２×Ｂ(λ)の相対分光感度特性をもち、Ｂ画素に対応するフィルタ素子Ｂ′については、Ｂ′（λ）＝ｋ３×Ｒ（λ）＋ｋ４×Ｇ(λ)＋Ｂ(λ)の相対分光感度特性をもつように構成される。
【００２１】
ここで、Ｒ（λ）、Ｇ(λ)、Ｂ(λ)は従来のＲ、Ｇ、Ｂ３原色フィルタそれぞれの相対分光感度特性を示し、係数ｋ１〜ｋ４は略１／４以上３／４以下程度の範囲に設定される。
【００２２】
このように構成されたベイヤ配列フィルタの各フィルタ素子Ｒ′，Ｇ ，Ｂ′それぞれの分光感度特性を図示すると、図２に示すようになる。すなわち、フィルタ素子Ｒ′は本来のＲの分光特性に加え、ＧおよびＢそれぞれの分光特性も有している。同様に、フィルタ素子Ｂ′も本来のＢの分光特性に加え、ＧおよびＲそれぞれの分光特性を有している。ここでフィルタ素子Ｒ′，Ｂ′は、それぞれの本来のＲ，Ｂ特性の最大ピーク値をｒ，ｂ、またＧの特性のピーク値をｇとした場合、それぞれ他の２色の最大ピーク部に対して各係数を乗じた第２および第３のピーク部（Ｒ’についてはｋ１×ｇとｋ２×ｂ，Ｂ’についてはｋ３×ｒとｋ４×ｇ）をさらに有した特性となっている。
【００２３】
ただし基になるＲＧＢの特性のすそ野の広がり（重なり）具合や、係数の値によってはこの第２、第３のピークが生じないような平坦な特性の場合もある。
【００２４】
次に、このような構成のカラー撮像素子を用いた撮像装置の構成を図３に基づいて説明する。図３において、１は各種レンズからなる撮影レンズ系、２はレンズ系１を駆動するためのレンズ系駆動機構、３はレンズ系１の絞りを制御するための露出制御機構、４はローパスおよび赤外カット用のフィルタ系、５は図１に示した特性のカラーフィルタを備えたＣＣＤカラー撮像素子、６は撮像素子５を駆動するためのＣＣＤドライバ、７はＡ／Ｄ変換器等を含むプリプロセス回路、８はディジタルプロセス回路で、ハードとしてメモリを含み、全てのディジタルプロセス処理を行うものである。９はメモリカードインターフェース、１０はメモリカード、１１はＬＣＤ画像表示系、１２は主たる構成としてマイコンを含むシステムコントローラ、１３は操作スイッチ系、１４は操作表示系、１５はストロボ、１６はレンズドライバ、１７は露出制御ドライバ、１８は各種設定情報等を記憶するための不揮発性メモリ（ＥＥＰＲＯＭ）である。
【００２５】
そして、上記ディジタルプロセス回路８には、輝度信号Ｙと２つの色差信号（Ｙ−Ｂ），（Ｙ−Ｒ）を生成するための色マトリクス回路８−１と、該色マトリクス回路８−１の前段に設けられ、Ｒ′Ｇ Ｂ′フィルタを備えたＣＣＤ撮像素子５からのＲ′，Ｇ ，Ｂ′信号に基づいて本来のＲ，Ｂの各色信号を算出するための色信号算出演算回路８−２とを備えており、また色マトリクス回路８−１には、低域の輝度信号ＹＬの他に、これと加算して輝度信号Ｙを形成するための高域の輝度エッジ信号ＹＨを生成する回路を備えている。なお、ここでＲ′Ｇ Ｂ′フィルタを構成している各フィルタ素子Ｒ′，Ｇ ，Ｂ′に対応する画素からの画素情報信号を、それぞれＲ′信号、Ｇ信号、Ｂ′信号と呼ぶこととする。
【００２６】
このような特性のカラーフィルタを備えたＣＣＤ撮像素子５を用いたカラー撮像装置（ディジタルカメラ）においては、従来のカメラと同様にＣＣＤ撮像素子５の駆動制御により露光及び信号読み出しを行い、ＣＣＤ撮像素子５により得られた撮像画像を信号処理した後にメモリカード１０に記録、あるいはＬＣＤ画像表示系１１に表示する。従来と異なる動作は輝度信号の生成処理であるが、その処理は、ディジタルプロセス回路８内の前記色マトリクス回路８−１及び演算回路８−２がシステムコントローラ１２の制御下において行うようになっている。
【００２７】
次に、この撮像装置における輝度信号Ｙの生成処理について説明する。まず、色マトリクス回路８−１の前段に設けられている演算回路８−２におけるＲ，Ｂ色信号の生成処理について説明する。
【００２８】
Ｒ′Ｇ Ｂ′フィルタを備えたＣＣＤ撮像素子５からは、Ｒ′（＝Ｒ＋ｋ１×Ｇ＋ｋ２×Ｂ相当  …（ア）），Ｇ ，Ｂ′（＝ｋ３×Ｒ＋ｋ４×Ｇ＋Ｂ相当  …（イ））の信号が出力されるので、演算回路８−２で次式（３），（４）により本来のＲ，Ｂ信号を算出する。
R=R′-(k1-k2×k4)×G-k2×B′              …（３）
B=B′-(k4-k1×k3)×G-k3×R′              …（４）
なお、上記（ア），（イ）による式の算出を厳密に取扱えば、
R={R′-(k1-k2×k4)×G-k2×B′}/(1-k2×k3)  …（３）′
B={B′-(k4-k1×k3)×G-k3×R′}/(1-k2×k3)  …（４）′
となるが、この違いは単に定数ゲイン分のみであり、従来技術の範疇においても、このような相対ゲインは事前の調整を前提にしたり或いはホワイトバランス回路で補正されるものであるため、このような意味から（３），（４）と（３）′，（４）′は同一視し得るものであって、上記（３），（４）式を用いることができる。もちろん直接（３）′，（４）′を用いても良い。次いで、上記演算回路８−２で算出されたＲ，Ｂ信号及びＣＣＤ撮像素子５からのＧ信号に基づいて、前記（１）式に基づいて低域の輝度信号ＹＬを算出する。
【００２９】
この際、従来と同様に１６画素の画素信号の平均値を用いる。すなわち、上記演算に先立って、Ｇ信号に関しては１６画素中の８画素の画素信号の平均をとり、Ｒ′信号及びＢ′信号に関しては１６画素中の４画素の画素信号の平均をとる。そして求めた平均信号Ｒ′ＧＢ′を用いて上記（３），（４）式の演算を行なうことで従来のＲＧＢ平均値と同等の信号と、従ってさらに従来と同等の低域輝度信号ＹＬを得ることができる。
【００３０】
一方、高域の輝度信号たる輝度エッジ信号ＹＨは、１つの単位配列の４画素平均値に基づいて算出される。つまり輝度エッジ信号ＹＨについては、図１（Ａ）のフィルタ配列において１画素ずつずらして組み合わせを変えた４画素単位で、隣接する４画素の信号、すなわち次式（５）で示すように、Ｇ１，Ｇ２，Ｒ′，Ｂ′信号の平均値を求め、これをエッジ信号を生成するための各点の高域信号ＥＨｎとする。そして、このようにして求めた各高域信号ＥＨｎに関して、従来と同様に次式（６）で示すように、それぞれ隣接する画素位置の高域信号との差分信号を求め、その差分の総和を高域成分の輝度信号ＹＨとする。図５の（Ｂ）において画素位置ＧＨ３を注目点とした場合と同様に、式（６）は、図１（Ｂ）に示すＥＨ３を注目点とした場合の例を示している。
【００３１】
EHn=(G1+G2+R′+B′)/4                  …（５）
YH=4×EH3-(EH1+EH2+EH4+EH5)          …（６）
なお、４画素信号の平均値からＥＨｎを求める際、次式（７）に示すようにＲ′，Ｂ′信号に重み付け係数ｑ１，ｑ２を乗じて感度調整を行うようにしてもよい。重み付け係数ｑ１，ｑ２の値は設計的に適宜設定されるものである。
【００３２】
EHn=(G1+G2+q1×R′+q2×B′)/4            …（７）
このようにして求めた低域の輝度信号ＹＬと高域の輝度信号（エッジ信号）ＹＨを加算して輝度信号Ｙを得る。この輝度信号Ｙにおける低域の輝度信号ＹＬは、Ｒ，Ｂ信号としてそれぞれ本来のＲ，Ｂに対して他の色の特性がオーバーラップしたような特性をもつＲ′Ｇ Ｂ′フィルタのフィルタ素子Ｒ′，Ｂ′に対応する画素から得られた信号を用いて生成しているので、Ｒ，Ｂ信号に関しては、従来のＲＧＢフィルタを用いた場合よりその成分が若干少なくなるが、十分色信号は生成することができ、色再現性は低減しない。また高域の輝度信号（エッジ信号）は、従来のようなＧのみの２画素ではなく、４画素全てを用い、その平均値に基づいて生成しているので、高感度の輝度エッジ信号が得られ、Ｓ／Ｎおよびダイナミックレンジが向上された輝度信号が得られると同時に、各フィルタの分光特性が従来よりもより均一化しているため輝度偽エッジの発生レベルも小さくなっている。
【００３３】
すなわち、本実施形態では、従来のベイヤ配列のＲＧＢ原色フィルタのＲとＢフィルタ素子について、本来のＲ，Ｂに対して他の色の特性がオーバーラップしたような特性のＲ′，Ｂ′フィルタ素子とした、Ｒ′Ｇ Ｂ′フィルタを設けたＣＣＤ撮像素子を用いているので、Ｒ相当のＲ′画素とＢ相当のＢ′画素およびＧ画素の信号出力の分光感度差が小さくなり、これにより輝度偽エッジによる問題無しで、Ｇ画素信号にＲ’及びＢ’画素信号を加えた４画素を用いて輝度エッジ信号を生成することが可能となり、感度の向上を図ることが可能となるのである。
【００３４】
また、Ｒ′Ｇ Ｂ′の各フィルタ素子に対応する画素から得られた信号を用いて本来の、すなわち従来のＲＧＢフィルタを用いた場合と全く同等のＲ，Ｂ信号を得る演算回路８−２を色マトリクス回路８−１の前段に設けているので、色マトリクス回路８−１としては特別の構成のものを用意する必要はなく、従来のベイヤ配列ＲＧＢ原色フィルタを用いたカラー撮像素子に対応する構成のものを、そのまま用いることができる。
なお、上記実施形態において、ｋ１〜ｋ４は１／４〜３／４の値を取る任意の係数としたが、特にｋ１とｋ４をほぼ等しい値に設定することが望ましい。すなわちこのようにした場合はＲ′，Ｂ′の各画素に含まれるＧの割合が等しくなるため、画素間の感度差がより小さくなるから、輝度偽エッジ低減の改善効果が極めて大きくなるものである。
【００３５】
また、上記では説明を省略したが、演算回路８−２と色マトリクス回路８−１の間には、ゲイン調節回路や、ホワイトバランス調節回路など従来の撮像装置において公知の信号処理回路が必要に応じて使用されることは勿論である。
【００３６】
さらに、上記では分光感度Ｒ′Ｇ Ｂ′はフィルタによって実現しているが、例えば各画素毎に印加バイアス電圧を可変するなどして素子自体の分光感度特性の制御によってこれを実現しても良い。また輝度信号Ｙの生成は上記で説明したように低域の輝度信号と高域の輝度エッジ信号とに分けて生成することが最も好ましいが、本実施形態では、Ｒ′画素とＢ′画素およびＧ画素の信号出力の分光感度差を小さくしているので、低域と高域に分けずとも、例えば近傍４画素信号の平均化処理により、従来の式（１）に示す方法をそののまま用いることも可能である。
【００３７】
さらにまた、本発明はデジタルスチルカメラに限らず、デジタルムービーなど、任意の撮像装置に適用可能であることは言うまでも無い。
【００３８】
【発明の効果】
以上説明したように、本発明によれば、輝度感度を向上させることができ、輝度偽エッジの発生の低減と共に、Ｓ／ＮやＤレンジの向上を図ることが可能となる。また、特にＲ′，Ｂ′の各画素に含まれるＧの割合を等しくすることにより、輝度偽エッジ防止効果を高めることができる。
【図面の簡単な説明】
【図１】本発明の一実施形態に係る撮像素子のフィルタ配列を示す図。
【図２】図１に示した撮像素子に用いられるＲ′，Ｇ ，Ｂ′フィルタ素子それぞれの相対分光感度特性を示す図。
【図３】図１の撮像素子を用いた撮像装置の構成を示すブロック図。
【図４】従来のベイヤ配列ＲＧＢ原色フィルタの構成、及び該フィルタ使用時の輝度偽エッジの発生態様を示す図。
【図５】従来のベイヤ配列ＲＧＢフィルタを用いたカラー撮像素子において、高域成分の輝度信号の生成態様を示す図。
【符号の説明】
１…レンズ系
２…レンズ系駆動機構
３…露出制御系
４…フィルタ系
５…ＣＣＤ撮像素子
６…ＣＣＤドライバ
７…プリプロセス回路
８…デジタルプロセス回路
８−１…色マトリクス回路
８−２…色信号算出演算回路
９…メモリカードインターフェース
１０…メモリカード
１１…ＬＣＤ画像表示系
１２…システムコントローラ
【図１】
0004311866.tif 000002
【図２】
0004311866.tif 000003
【図３】
0004311866.tif 000004
【図４】
0004311866.tif 000005
【図５】
0004311866.tif 000006